(57)【要約】 【課題】建物内に設置しても室内の美観を損なわないようにする。【解決手段】本発明に係る筋かい構造１は、上段横架材としての梁２、下段横架材としての土台３及び一対の柱４，４からなる軸組架構５と、一対の柱４，４間に架け渡され天井６より上方に位置決めされた補助横架材７と、補助横架材７、土台３及び一対の柱４，４で囲まれた空間８に設置され該空間の隅部に両端が接合された筋かい９とを備える。筋かい９は、たすき状になるように中央近傍の当接領域にて互いに当接され接合された２本の筋かい部材と、該各筋かい部材の裏側であって該筋かい部材と当接していない領域に積層された化粧部材とで構成してある。【選択図】  図１
2008057159.tif 000002
【特許請求の範囲】
【請求項１】
上段横架材、下段横架材及び一対の柱からなる軸組架構と、該一対の柱間に架け渡され天井より上方に位置決めされた補助横架材と、該補助横架材、前記下段横架材及び前記一対の柱で囲まれた空間に設置され該空間の隅部に両端が接合された筋かいとを備えるとともに、前記筋かいを、たすき状になるように中央近傍の当接領域にて互いに当接され接合された２本の筋かい部材と該２本の筋かい部材の裏側であってそれらの非当接領域に積層された化粧部材とで構成し、前記化粧部材を、その幅が該化粧部材の裏側に位置する筋かい部材の幅と同一になるように、かつその厚みが前記化粧部材と同一の側に位置する筋かい部材の厚みと同一になるように形成したことを特徴とする筋かい構造。
【請求項２】
矩形状をなす構造用合板を前記上段横架材、前記補助横架材及び前記一対の柱の側方に配置するとともに、前記構造用合板の各縁部を前記上段横架材、前記補助横架材及び前記一対の柱の各側面に固定した請求項１記載の筋かい構造。
【請求項３】
前記筋かいの下端近傍と床との交点が前記筋かいの上端近傍と天井との交点と同一鉛直線上に位置するように天井の高さを位置決めした請求項１記載又は請求項２記載の筋かい構造。
【発明の詳細な説明】
【技術分野】
【０００１】
本発明は、新築時やリフォーム時に適用される筋かい構造に関する。
【背景技術】
【０００２】
木造住宅のうち、在来軸組工法においては、柱、梁、胴差し、土台といった軸組に構造用合板や筋かいを取り付けることによって住宅全体の水平剛性と水平耐力を高め、耐震性を向上させている。
【０００３】
ここで、住宅を新築してから年月が経つと、耐震部材としての構造用合板や筋かいの機能が低下したり、建築基準法に定める耐震規準が厳しくなったりといった理由により、新築時には問題がなかった住宅であっても、その後に耐震補強する必要が生じることがある。また、家族構成の変動や生活指向の変化等に伴い、新築当時の間取りを変更し下階に広い空間を確保したいというニーズが生じることもある。
【０００４】
このような必要性やニーズに応えるにあたり、外壁だけに構造用合板や筋かいを増やすと、住宅全体の壁量は満足できても設置バランスが悪くなることがあり、かかる場合には、居室の中央付近や隣接居室の境界に構造用合板や筋かいを設置しなければならない。
【０００５】
【特許文献１】特開２０００−２４８６２０号公報
【特許文献２】特開２００３−１３５０２号公報
【発明の開示】
【発明が解決しようとする課題】
【０００６】
しかしながら、居室の中央付近に構造用合板を配置すると、耐震構造上の問題はクリアできたとしても、居室を広く使いたいというニーズが犠牲にされることになる。
【０００７】
一方、構造用合板に代えて、筋かいを設置するようにすれば、構造用合板を設置した場合のような閉塞感はなくなるが、筋かいが露出してしまうため、室内の美観を損ねてしまうという問題を生じていた。
【課題を解決するための手段】
【０００８】
本発明は、上述した事情を考慮してなされたもので、建物内に設置しても室内の美観を損なわない筋かい構造を提供することを目的とする。
【０００９】
上記目的を達成するため、本発明に係る筋かい構造は請求項１に記載したように、上段横架材、下段横架材及び一対の柱からなる軸組架構と、該一対の柱間に架け渡され天井より上方に位置決めされた補助横架材と、該補助横架材、前記下段横架材及び前記一対の柱で囲まれた空間に設置され該空間の隅部に両端が接合された筋かいとを備えるとともに、前記筋かいを、たすき状になるように中央近傍の当接領域にて互いに当接され接合された２本の筋かい部材と該２本の筋かい部材の裏側であってそれらの非当接領域に積層された化粧部材とで構成し、前記化粧部材を、その幅が該化粧部材の裏側に位置する筋かい部材の幅と同一になるように、かつその厚みが前記化粧部材と同一の側に位置する筋かい部材の厚みと同一になるように形成したものである。
【００１０】
また、本発明に係る筋かい構造は、矩形状をなす構造用合板を前記上段横架材、前記補助横架材及び前記一対の柱の側方に配置するとともに、前記構造用合板の各縁部を前記上段横架材、前記補助横架材及び前記一対の柱の各側面に固定したものである。
【００１１】
また、本発明に係る筋かい構造は、前記筋かいの下端近傍と床との交点が前記筋かいの上端近傍と天井との交点と同一鉛直線上に位置するように天井の高さを位置決めしたものである。
【００１２】
筋かいは、外壁ラインに沿って設けるのが一般的であって、室内側は内壁材で全て覆われるため、通常であれば外観が露出することはない。また、壁量確保の関係上、建物内に筋かいを設ける場合であっても、筋かいの両側には石膏ボードなどの内壁材を建て込むのがほとんどである。
【００１３】
したがって、筋かいの美観は、従来、何ら問題とはならなかったが、建物内に筋かいを設ける場合、視線が遮られることによる圧迫感を解消すべく、筋かいの側方に内壁材を建て込まないようにすると、筋かいが露出し、その美観が問題となる。
【００１４】
本出願人は、内壁材を建て込まずに筋かいを露出させることで建物内空間を広く見せようとした場合、露出した筋かいが室内デザインあるいは美観を損ねないようにするにはどうすればよいかという課題にとりくみ、さまざまな観点から検討を重ねた結果、上述した新規な発明をなすに至った。
【００１５】
すなわち、従来の手法で建物内に筋かいを設置すると、該筋かいの上方が天井懐の高さだけ隠れてしまい、見え方としてはバランスが悪い。
【００１６】
本発明に係る筋かい構造においては、補助横架材というあらたな部材を設置高さが天井より上方になるように上段横架材の下方に設けるとともに、該補助横架材、下段横架材及び一対の柱で囲まれた空間に筋かいを設置する。
【００１７】
このように筋かいを設置すると、下段横架材とその上に設置された床の高さ分だけ筋かいの下方が隠され、天井とその上に架け渡される補助横架材との高さ分だけ筋かいの上方が隠されるため、補助横架材の設置高さを調整することにより、隠蔽される筋かいの上下部分をバランスさせることが可能となる。
【００１８】
つまり、本願発明は、天井や床といった必須建物要素の存在を考慮しつつ、筋かいをバランスよく露出させるためのあらたな構成を見いだしたものと云える。なお、補助横架材の設置高ささえ調整すれば、上下隠蔽部分を同等に設定することができるので、床の設置高さを調整する必要はない。
【００１９】
加えて、筋かいを、たすき状になるように中央近傍の当接領域にて互いに当接され接合された２本の筋かい部材と、該２本の筋かい部材の裏側であってそれらの非当接領域に積層された化粧部材とで構成するとともに、化粧部材を、その幅が該化粧部材の裏側に位置する筋かい部材の幅と同一になるように、かつその厚みが化粧部材と同一の側に位置する筋かい部材の厚みと同一になるように形成してある。
【００２０】
そのため、合い欠きによる断面欠損を生じさせることなく、筋かいの交差箇所から美観の悪い段差をなくすことが可能となる。
【００２１】
したがって、天井や床を考慮した筋かいの露出のさせ方の工夫に加え、筋かいの交差箇所から段差をなくすことにより、耐震機能をなんら犠牲にすることなく、室内空間として意匠性に優れた筋かいとすることが可能となる。
【００２２】
軸組架構を構成する下段横架材は、例えば土台や梁が該当し、上段横架材は例えば梁が該当する。柱には、通し柱、管柱等が含まれる。補助横架材は、主として通し柱同士、通し柱と管柱又は管柱同士に架け渡す場合を対象とする。
【００２３】
ここで、上段横架材、補助横架材及び一対の柱で囲まれた空間については天井懐で隠れるため、室内には露出しない。そのため、矩形状をなす構造用合板を上段横架材、補助横架材及び一対の柱の側方に配置するとともに、かかる構造用合板の各縁部を上段横架材、補助横架材及び一対の柱の各側面に固定したならば、室内空間の美観に何ら影響を与えることなく、構造用合板及び筋かいによって軸組架構に高い面内剛性を付与することが可能となる。
【００２４】
また、前記筋かいの下端近傍と床との交点が前記筋かいの上端近傍と天井との交点と同一鉛直線上に位置するように天井の高さを位置決めしたならば、床近傍と天井近傍における筋かいの見え方が同一になるため、筋かいの美観をさらに高めることが可能となる。
【発明を実施するための最良の形態】
【００２５】
以下、本発明に係る筋かい構造の実施の形態について、添付図面を参照して説明する。なお、従来技術と実質的に同一の部品等については同一の符号を付してその説明を省略する。
【００２６】
図１は、本実施形態に係る筋かい構造を示した図である。同図に示すように、本実施形態に係る筋かい構造１は、上段横架材としての梁２、下段横架材としての土台３及び一対の柱４，４からなる軸組架構５と、一対の柱４，４間に架け渡され天井１４より上方に位置決めされた補助横架材７と、補助横架材７、土台３及び一対の柱４，４で囲まれた空間８に設置され該空間の隅部に両端が接合された筋かい９とを備える。
【００２７】
図２は筋かい９の接合箇所における斜視図、図３は筋かい９の接合箇所における分解斜視図である。これらの図でわかるように、筋かい９は、たすき状になるように中央近傍の当接領域にて互いに当接され接合された２本の筋かい部材２１ａ，２１ｂと、筋かい部材２１ａの裏側であって筋かい部材２１ｂと当接していない領域（中央近傍の平行四辺形状当接領域を除く上下二つに分かれた非当接領域）に積層された化粧部材２２ｂ，２３ｂと、筋かい部材２１ｂの裏側であって筋かい部材２１ａと当接していない領域に積層された化粧部材２２ａ，２３ａとで構成してある。
【００２８】
化粧部材２２ｂ，２３ｂは、その幅ｗｂが該化粧部材の裏側に位置する筋かい部材２１ａの幅と同一になるように、かつその厚みｔｂが該化粧部材と同一の側に位置する筋かい部材２１ｂの厚みと同一になるように形成してある。
【００２９】
同様に、化粧部材２２ａ，２３ａは、その幅ｗａが該化粧部材の裏側に位置する筋かい部材２１ｂの幅と同一になるように、かつその厚みｔａが該化粧部材と同一の側に位置する筋かい部材２１ａの厚みと同一になるように形成してある。
【００３０】
なお、筋かい部材２１ａ，２１ｂ、化粧部材２２ｂ，２３ｂ及び化粧部材２２ａ，２３ａは、各断面を例えば幅１０５ｍｍ×厚み４０ｍｍ程度とすることができる。
【００３１】
２本の筋かい部材２１ａ，２１ｂ同士の接合は、例えば接合金物を介して接合し、筋かい部材２１ａと化粧部材２２ｂ，２３ｂとの接合、あるいは筋かい部材２１ｂと化粧部材２２ａ，２３ａとの接合は接着剤で接合することができる。
【００３２】
なお、筋かい部材２１ａ，２１ｂの上端は、空間８の隅部に取り付けられた２つの接合金物１０を介してそれぞれ柱４及び補助横架材７に接合してあり、筋かい部材２１ａ，２１ｂの下端は、空間８の隅部に取り付けられた２つの接合金物１１を介してそれぞれ柱４及び土台３に接合してある。接合金物１０，１１は、市販されている筋かい用補強金物から適宜選択することが可能である。
【００３３】
ここで、梁２、補助横架材７及び一対の柱４，４の側方には、矩形状をなす構造用合板１２を配置してあるとともに、これら梁２、補助横架材７及び一対の柱４，４の側面に構造用合板１２の各縁部を釘打ち、接着剤等で固定してある。
【００３４】
また、筋かい９の下端近傍と床１３との交点Ｐが、筋かい９の上端近傍と天井１４との交点Ｑと同一鉛直線上に位置するよう、天井１４の設置高さを位置決めしてある。すなわち、図１中、点Ｐと柱４の側面との距離Ｌｆが点Ｑと柱４の側面との距離Ｌｓと等しくなるよう、天井１４の高さを決めてある。
【００３５】
本実施形態に係る筋かい構造１においては、補助横架材７を、その設置高さが天井１４より上方になるように梁２の下方に設けるとともに、補助横架材７、土台３及び一対の柱４，４で囲まれた空間８に筋かい９を設置してある。
【００３６】
このように筋かい９を設置すると、土台３とその上に設置された床１３の高さ分だけ筋かい９の下方が隠され、天井１４とその上に架け渡される補助横架材７との高さ分だけ筋かい９の上方が隠される。
【００３７】
また、筋かい９の下端近傍と床１３との交点Ｐが、筋かい９の上端近傍と天井１４との交点Ｑと同一鉛直線上に位置するように、天井１４の高さを位置決めしてある。
【００３８】
このようにすると、床１３近傍と天井１４近傍における筋かい９の見え方を同一にすることができる。
【００３９】
以上説明したように、本実施形態に係る筋かい構造１によれば、土台３とその上に設置された床１３の高さ分だけ筋かい９の下方が隠され、天井１４とその上に架け渡される補助横架材７との高さ分だけ筋かい９の上方が隠される。
【００４０】
そのため、補助横架材７の設置高さを調整することにより、隠蔽される筋かい９の上下部分をバランスさせることが可能となる。
【００４１】
また、本実施形態に係る筋かい構造１によれば、筋かい９の下端近傍と床１３との交点Ｐが、筋かい９の上端近傍と天井１４との交点Ｑと同一鉛直線上に位置するように、天井１４の高さを設定したので、床１３近傍と天井１４近傍における筋かい９の見え方が同一になり、筋かい９の美観をさらに高めることが可能となる。
【００４２】
また、本実施形態に係る筋かい構造１によれば、筋かい９を、たすき状になるように中央近傍の当接領域にて互いに当接され接合された２本の筋かい部材２１ａ，２１ｂと、筋かい部材２１ａの裏側であって筋かい部材２１ｂと当接していない領域に積層された化粧部材２２ｂ，２３ｂと、筋かい部材２１ｂの裏側であって筋かい部材２１ａと当接していない領域に積層された化粧部材２２ａ，２３ａとで構成したので、合い欠きによる断面欠損を生じさせることなく、筋かいの交差箇所から美観の悪い段差をなくして角材風に見せることが可能となり、かくして、筋かい９は、耐震機能をなんら犠牲にすることなく、室内空間として意匠性に優れた建築要素となる。
【００４３】
また、本実施形態に係る筋かい構造１によれば、梁２、補助横架材７及び一対の柱４，４の側方に構造用合板１２を配置し、これら梁２、補助横架材７及び一対の柱４，４の側面に構造用合板１２の各縁部を釘打ち、接着剤等で固定したので、室内空間の美観に何ら影響を与えることなく、構造用合板１２及び筋かい９によって軸組架構５に高い面内剛性を付与することが可能となる。
【００４４】
本実施形態では、筋かい部材２１ａ，２１ｂ、化粧部材２２ｂ，２３ｂ、及び化粧部材２２ａ，２３ａの断面形状を同一に形成したが、必ずしも断面形状まで同一にする必要はない。例えば、化粧部材２２ｂ，２３ｂや、化粧部材２２ａ，２３ａのコーナー部のうち、筋かい部材２１ａ，２１ｂに積層される側の２つのコーナー部に図４に示すように数ｍｍ角程度、材軸に沿って切り欠き４１を設けてもよい。
【００４５】
このようにすれば、両者を積層したとき、角材に目地が入ったのと同じ外観となり、筋かいの意匠性をさらに高めることが可能となる。
【図面の簡単な説明】
【００４６】
【図１】本実施形態に係る筋かい構造１の正面図。
【図２】筋かい９の接合箇所における斜視図。
【図３】筋かい９の接合箇所における分解斜視図。
【図４】変形例に係る筋かいの斜視図。
【符号の説明】
【００４７】
１                            筋かい構造
２                            梁（上段横架材）
３                            土台（下段横架材）
４                            柱
５                            軸組架構
７                            補助横架材
８                            空間
９                            筋かい
１２                          構造用合板
１３                          床
１４                          天井
２１ａ，２１ｂ                筋かい部材
２２ａ，２３ａ                化粧部材
２２ｂ，２３ｂ                化粧部材
【図１】
2008057159.tif 000003
【図２】
2008057159.tif 000004
【図３】
2008057159.tif 000005
【図４】
2008057159.tif 000006